(57)【要約】      （修正有）【課題】レバーを組み付ける際に、レバーと回動軸とが強く擦れあうことを抑制することを目的とする。【解決手段】相手側コネクタとの嵌合離脱を助勢するレバー２０と、前記レバー２０を一対の壁部５１、５３で挟み込むようにして収容するレバー収容部が設けられたコネクタハウジング４０と、前記レバー収容部の一方の前記壁部５１から他方の前記壁部５３に向かって突出するように設けられ、前記レバー２０の軸受け穴と嵌合して前記レバー２０を回動可能に支持する回動軸５５と、前記他方の壁部５３において前記回動軸５５と対向する部分を含んで前記レバー２０の組み付け方向に延びて前記他方の壁部５３の縁部において開口６３Ａするように切欠かれた切欠き部６３を埋めて、前記他方の壁部５３と一体化される閉鎖部材８０とを備えた。【選択図】図２
2017135015.tif 000002
【特許請求の範囲】
【請求項１】
相手側コネクタとの嵌合離脱を助勢するレバーと、
前記レバーを一対の壁部で挟み込むようにして収容するレバー収容部が設けられたコネクタハウジングと、
前記レバー収容部の一方の前記壁部から他方の前記壁部に向かって突出するように設けられ、前記レバーの軸受け穴と嵌合して前記レバーを回動可能に支持する回動軸と、
前記他方の壁部において前記回動軸と対向する部分を含んで前記レバーの組み付け方向に延びて前記他方の壁部の縁部において開口するように切欠かれた切欠き部を埋めて、前記他方の壁部と一体化される閉鎖部材とを備えたレバー式コネクタ。
【請求項２】
前記切欠き部の内側面と、前記切欠部内に埋め込まれる前記閉鎖部材の外側面とには、前記閉鎖部材のスライド挿入により互いに嵌合する凹凸嵌合部が設けられている請求項１に記載のレバー式コネクタ。
【請求項３】
前記閉鎖部材は、前記コネクタハウジングの前記相手側コネクタとの嵌合面を覆うフロントカバーと一体に設けられている請求項１又は請求項２に記載のレバー式コネクタ。
【請求項４】
前記レバー収容部の開口縁部に、前記他方の壁部の他の部分よりも肉厚なリブ部が、前記切欠き部の形成幅を超える領域にわたって連続して設けられており、前記切欠き部の端部は前記リブ部の一部に食い込む形態で形成され、その食い込み部分に前記閉鎖部材との係止構造が設けられている請求項１から請求項３のいずれか一項に記載のレバー式コネクタ。
【発明の詳細な説明】
【技術分野】
【０００１】
本発明は、レバーを回動動作することで、相手側コネクタと嵌合離脱するレバー式コネクタに関する。
【背景技術】
【０００２】
従来、互いに嵌合可能なコネクタの一方のコネクタハウジングに、相手側との嵌合離脱を助勢するためのレバーを取り付けたものが知られている。この種のレバー式コネクタとしては、例えば、特開２０１２−２４８３６６号公報（下記特許文献１）に開示されたものがある。このコネクタのレバーには軸受け部が設けられ、コネクタハウジングに突設した回動軸をその軸受け部に嵌合することで、レバーが回動可能に支持されている。
【０００３】
ところで、この種のレバー式コネクタにおいて、相手側コネクタとの嵌合離脱のためにレバーを回動操作すると、両コネクタの嵌合抵抗に起因してレバーの軸受け部と回動軸には強い力が作用し、ときにはレバーの軸受け部が回動軸から外れるおそれがある。このため、レバーはコネクタハウジングの側部に設けたレバー収容部内に収容され、コネクタハウジングの側壁に対向するように設けた外壁との間に僅かなギャップを余してレバーを収容することでレバーの外れを防止するようにしている。
【先行技術文献】
【特許文献】
【０００４】
【特許文献１】特開２０１２−２４８３６６号公報
【発明の概要】
【発明が解決しようとする課題】
【０００５】
この種のレバー式コネクタでは、レバーをレバー収容部に組み込む際、レバーが挿入方向の先端において回動軸に乗り上げた後、軸受け部と回動軸とが嵌合するに至る。この際、レバーが回動軸に容易に乗り上げることができるようにレバー収容部の外壁とレバーとの間のギャップを広くすると、上述したレバーの外れ防止機能が発揮されない。かといって、そのギャップを狭くすると、レバー収容部の外壁は連続した一枚の板状をなしているから、内部から押し開くような変形力に対抗する剛性が高く、結局、無理矢理にレバーを押し込まなければならない。そのため、従来のレバー式コネクタではレバーの組み付け時にレバーと回動軸とが互いに強く擦れあうことで削りかすが発生する虞があった。
【課題を解決するための手段】
【０００６】
本明細書で開示されるレバー式コネクタは、相手側コネクタとの嵌合離脱を助勢するレバーと、前記レバーを一対の壁部で挟み込むようにして収容するレバー収容部が設けられたコネクタハウジングと、前記レバー収容部の一方の前記壁部から他方の前記壁部に向かって突出するように設けられ、前記レバーの軸受け穴と嵌合して前記レバーを回動可能に支持する回動軸と、前記他方の壁部において前記回動軸と対向する部分を含んで前記レバーの組み付け方向に延びて前記他方の壁部の縁部において開口するように切欠かれた切欠き部を埋めて、前記他方の壁部と一体化される閉鎖部材とを備えた。
【０００７】
このような構成によると、回動軸と対向する他方の壁部には、レバーの組み付け方向に延びて壁部の縁部において開口するように切り欠かれた切欠き部が設けられている。そして、レバーをレバー収容部に組み付ける際に、レバーが回動軸に乗り上げると、他方の壁部が切欠き部を中心として開くように弾性変形することになる。そのため、レバーとレバー収容部とが強く擦れあわず、レバーの組み付けが容易になる。また、レバーとレバー収容部とが強く擦れあうことで樹脂が削れることを抑制できる。そして、レバーを組み付けた後に、閉鎖部材が切欠き部を埋めるように他方の壁部と一体化される。その結果、レバーの回動動作時などには、他方の壁部が弾性変形することがなく、レバーにかかる力を押さえ込むことができる。
【０００８】
本明細書に開示されるレバー式コネクタの実施の態様として、以下の構成としても良い。
前記切欠き部の内側面と、前記切欠部内に埋め込まれる前記閉鎖部材の外側面とには、前記閉鎖部材のスライド挿入により互いに嵌合する凹凸嵌合部が設けられている構成としても良い。
【０００９】
このような構成では、閉鎖部材を切欠き部に埋める際に、スライド挿入することができるため、閉鎖部材を装着しやすくなる。また、切欠き部の内側面と閉鎖部材の外側面とに設けられた凹凸嵌合部が嵌合することで、閉鎖部材が他方の壁部から浮いたり、他方の壁部が弾性変形したりすることをさらに抑制することができる。
【００１０】
また、前記閉鎖部材は、前記コネクタハウジングの前記相手側コネクタとの嵌合面を覆うフロントカバーと一体に設けられている構成としても良い。
【００１１】
このような構成によると、フロントカバーを取り付ける際に閉鎖部材を取り付けることができる。そのため、閉鎖部材をコネクタハウジングと別部材としていても、部品点数が増えることなく、作業工数が増えることもない。
【００１２】
また、前記レバー収容部の開口縁部に、前記他方の壁部の他の部分よりも肉厚なリブ部が、前記切欠き部の形成幅を超える領域にわたって連続して設けられており、前記切欠き部の端部は前記リブ部の一部に食い込む形態で形成され、その食い込み部分に前記閉鎖部材との係止構造が設けられている構成としても良い。
【００１３】
このような構成では、レバー収容部の開口縁部には、他の部分よりも肉厚なリブ部が連続して設けられている。そのため、切欠き部が設けられていても、リブ部の開口縁部では連なった状態となっており、リブ部が途中で途切れた場合よりも剛性が高くなっている。そのため、レバーを組み付ける際や組み付け後にレバー収容部の開口縁部に力がかかっても、リブ部が設けられていることから変形しがたい。また、切欠き部の端部がリブ部の一部に食い込む形態で形成されており、その食い込み部分に閉鎖部材の係止構造が設けられている。つまり、肉厚なリブ部にかかるように係止構造が設けられていることから、係止構造に力がかかっても、割れやひび等が発生することを抑制できる。
【発明の効果】
【００１４】
本明細書に開示されたレバー式コネクタによれば、レバーを組み付ける際に、レバーと回動軸とが強く擦れあうことを抑制することができる。
【図面の簡単な説明】
【００１５】
【図１】実施形態におけるレバー式コネクタの平面図
【図２】レバー式コネクタの分解平面図
【図３】レバーの底面図
【図４】コネクタハウジングの正面図
【図５】コネクタハウジングの背面図
【図６】図５におけるＶＩ−ＶＩ位置における断面図
【図７】図６におけるＶＩＩ−ＶＩＩ位置における断面図
【図８】コネクタハウジングにレバーを組み付け始めた状態の背面図
【図９】図８におけるＩＸ−ＩＸ位置における断面図
【図１０】図９におけるＸ−Ｘ位置における断面図
【図１１】コネクタハウジングにレバーを組み付けた状態の背面図
【図１２】図１１におけるＸＩＩ−ＸＩＩ位置における断面図
【図１３】図１２におけるＸＩＩＩ−ＸＩＩＩ位置における断面図
【図１４】フロントカバーの側面図
【図１５】フロントカバーの背面図
【図１６】コネクタハウジングにフロントカバーを装着する途中の状態の平面図
【発明を実施するための形態】
【００１６】
＜実施形態＞
実施形態について図１から図１６を参照して説明する。
本実施形態のレバー式コネクタ１０は、図１及び図２に示すように、合成樹脂製のレバー２０と、合成樹脂製のコネクタハウジング４０と、合成樹脂製のフロントカバー７０とを備えている。このレバー式コネクタ１０は、雌コネクタであって、相手側コネクタである雄コネクタに嵌合可能とされている。なお、本実施形態において、前後方向については、レバー式コネクタ１０の嵌合方向を基準とし、図１における下側（嵌合面側）を前側とし、図１における上側（レバー２０側）を後側とする。また、上下方向については、図４を基準とし、図４における上側（レバー収容部５０側）を上側とし、下側を下側とする。
【００１７】
レバー２０は、図２及び図３に示すように、全体として略矩形状の板状をなすカム板部２１と、レバー２０を操作するための操作部３１とを備えている。レバー２０の幅方向において、操作部３１と反対側の端部には、後記する回動軸５５と嵌合する軸受け穴２３が設けられている。この軸受け穴２３は、前後方向の略中央位置に設けられており、略円形状で、下面開口の窪み状となっている。軸受け穴２３は、カム板部２１の板厚の略４分の３程度を占めている。また、軸受け穴２３の前端縁には、回動軸５５を軸受け穴２３内にガイドするためのガイド部２３Ａが設けられている。
【００１８】
カム板部２１の下面には、図３及び図９に示すように、軸受け穴２３から前方に向かってカム板部２１の外縁部に至る組付溝２５が設けられている。この組付溝２５は、軸受け穴２３と同じ幅で、板厚方向の深さ寸法が軸受け穴２３よりも小さく、カム板部２１の板厚の略半分程度となっている。また、組付溝２５の外縁部は、外側にいくにつれて板厚が薄くなるような傾斜面２５Ａとなっている。
【００１９】
また、カム板部２１の軸受け穴２３周縁には、相手側コネクタに設けられたカムピンを係合可能なカム溝２７が形成され、その開口２７Ａが軸受け穴２３の幅方向の外縁部に開口している。そして、カム溝２７の開口２７Ａの後端縁から後方に向かって片持ち状の弾性係止片２９が設けられている。この弾性係止片２９は、後記するレバー収容部５０内の係止突起に係止されて、レバー２０が仮嵌合位置で保持されるようにする。
【００２０】
レバー２０の操作部３１は、図２及び図３に示すように、カム板部２１の軸受け穴２３とは反対側の端部で、かつ後端部に設けられている。操作部３１は、カム板部２１よりもその板厚方向に張り出しており、指等が引掛けやすくなっている。
【００２１】
また、レバー２０における操作部３１の前方には、弾性ロック片３３が設けられている。この弾性ロック片３３は、レバー２０を嵌合完了位置にロックするためのもので、レバー２０の板厚方向（上下方向）に撓み可能となっている。弾性ロック片３３の上面には、係合突起３３Ａが突設されている。また、弾性ロック片３３の後端部（操作部３１の略中央位置）には、係合解除部３３Ｂが設けられている。
【００２２】
コネクタハウジング４０は、図４及び図５に示すように、複数の雌端子金具が収容された端子保持部４１と、この端子保持部４１の上方に配されレバー２０を内部に収容するレバー収容部５０とを備えている。端子保持部４１には、雌端子金具を収容するキャビティ４３が前後方向に貫通して複数形成されている。また、複数のキャビティ４３を連通するようなリテーナ装着穴４５（図６参照）が下面（底面）に開口するように設けられている。
【００２３】
レバー収容部５０は、図５及び図７に示すように、コネクタハウジング４０の上部の幅方向の一端側に寄るようにして形成されている。レバー収容部５０は、端子保持部４１の上部と一体になっている下壁部５１（「一方の壁部」の一例）と、この下壁部５１と平行な上壁部５３（「他方の壁部」の一例）との間に区画された横長スリット状をなす空間となっている。
【００２４】
図２及び図５に示すように、レバー収容部５０の下壁部５１から上側（上壁部５３側）に突出するようにして回動軸５５が設けられている。回動軸５５は下壁部５１の前後方向の略中央位置で、コネクタハウジング４０全体の幅方向の略中央位置に設けられている。回動軸５５は略円柱形をしており、レバー収容部５０の略３分の２程度の高さ（上下方向の寸法）となっている。また、回動軸５５の後側略半分程度は、上面が後側に向かって徐々に低くなるテーパー面５５Ａとなっている。回動軸５５において、テーパー面５５Ａの下側の幅方向略中央付近は、若干上方に突出するガイド凸部５５Ｂとなっている。このガイド凸部５５Ｂが軸受け穴２３のガイド部２３Ａと嵌め合うことで、回動軸５５が軸受け穴２３への幅方向への位置合わせがされる。
【００２５】
レバー収容部５０の下壁部５１側の回動軸５５の前方には、図２及び図４に示すように、カムピンが進入可能な下側逃がし溝５７が設けられており、レバー２０が仮嵌合位置にあるときは、カム溝２７の開口２７Ａが下側逃がし溝５７に整合する。また、レバー収容部５０の上壁部５３には、レバー２０の弾性ロック片３３の係合突起３３Ａに係合可能な爪部５９が設けられている。
【００２６】
また、図１及び図２に示すように、レバー収容部５０の後方の開口縁部５０Ａは、幅方向の一端がレバー２０の操作部３１を収容可能なように切り欠かれている。また、レバー収容部５０の後方の開口縁部５０Ａには、リブ部６１が設けられている。リブ部６１は、上壁部５３に設けられており、上壁部５３の他の部分より肉厚になっている。また、リブ部６１は、後記する切欠き部６３の形成幅を超える領域に亘って連続して設けられている。そして、リブ部６１の前端位置は、コネクタハウジング４０の後端から前後方向の寸法の略４分の１程度の位置まで設けられており、回動軸５５に対向する部分にはかからない程度になっている。また、回動軸５５の後方位置のリブ部６１は、操作部３１の近くのリブ部６１より幅広になっている。
【００２７】
レバー収容部５０の上壁部５３には、図２及び図４に示すように、切欠き部６３が設けられている。切欠き部６３は、コネクタハウジング４０の幅方向略中央位置に設けられており、回動軸５５と対向する部分を含むように前後方向に延びて、上壁部５３の前端縁部において開口して開口部６３Ａを形成している。切欠き部６３は、回動軸５５の略２倍程度の幅を有しており、幅方向の中心に回動軸５５の中心が位置している。また、切欠き部６３の後端部は、リブ部６１の前端部に食い込む形態で形成されている。
【００２８】
切欠き部６３の両側の内側面には、前端から後方に延びる溝状のガイド溝６５（「凹凸嵌合部」の一例）が設けられている。ガイド溝６５は、切欠き部６３の前後方向の全長に亘って設けられている。また、切欠き部６３がリブ部６１に食い込んだ後端位置には、切欠き部６３の両側の内側面から内側（幅方向中央側）に向かって突出する係止突部６７（「係止構造」の一例）が設けられている。
【００２９】
フロントカバー７０は、図２及ぶ図１５に示すように、コネクタハウジング４０の嵌合面（前面）を覆うフロントカバー部７１と、切欠き部６３を埋めて上壁部５３と一体化される閉鎖部８０（「閉鎖部材」の一例）とを備えている。フロントカバー部７１は、コネクタハウジング４０の嵌合面全体を覆っており、キャビティ４３に挿入された端子金具の前止まり等の役割を果たしている。
【００３０】
閉鎖部８０は、フロントカバー部７１の後面の上端位置から後方に突出するように形成されている。閉鎖部８０は、切欠き部６３と同じ大きさとなっており、閉鎖部８０の板厚は、上壁部５３と同じ板厚となっている。また、閉鎖部８０の後端部には、上壁部５３のリブ部６１の形状に合う閉鎖部リブ部８１が設けられている。一方で、閉鎖部８０の幅方向中央位置の前端部には、フロントカバー部７１の前端に開口するように、カムピンが進入可能な上側逃がし溝８３が設けられている。上側逃がし溝８３は、下側逃がし溝５７とほぼ同じ形状になっており、レバー２０が仮嵌合位置にあるときは、カム溝２７の開口２７Ａが上側逃がし溝８３に整合する。
【００３１】
閉鎖部８０の両側の外側面には、後端から前方に延びる連続した凸状のレール部８５（「凹凸嵌合部」の一例）が設けられている。レール部８５は、閉鎖部８０の前後方向の全長に亘って設けられており、ガイド溝６５に嵌合可能となっている。また、閉鎖部リブ部８１の両側の外側面には、係止突部６７が嵌まり込むことで係止される係止穴８７が設けられている。
【００３２】
次に、レバー式コネクタ１０の組み付け手順について説明する。まず、レバー２０をコネクタハウジング４０に組み付ける。この組付けに際しては、図８から１０に示すように、レバー２０をレバー収容部５０の後端開口から挿入する。この際に、レバー２０の組付溝２５の傾斜面２５Ａが、回動軸５５のテーパー面５５Ａと接触することで、レバー２０が回動軸５５に乗り上げやすくなる。
【００３３】
そして、レバー２０の組付け溝２５が回動軸５５に乗り上げると、上壁部５３が切欠き部６３を中心として上方に開くように弾性変形するため、レバー２０が回動軸５５を通過が許容される。この際に、上壁部５３が弾性変形しているため、レバー２０とレバー収容部５０の上壁部５３及び回動軸５５が強く擦れあわず、レバー２０の組み付けが容易になる。また、レバー収容部５０の後端側の開口縁部５０Ａの上壁部５３には、リブ部６１が連続して設けられており、剛性が高くなっているため、上壁部５３に力がかかっても、開口縁部５０Ａが変形することがない。
【００３４】
レバー２０がさらにレバー収容部５０の奥側（前側）に差し込まれると、回動軸５５のガイド凸部５５Ｂと軸受け穴２３のガイド部２３Ａとが嵌め合うことで、回動軸５５が軸受け穴２３に対して幅方向における位置合わせがされ、回動軸５５が軸受け穴２３に嵌り込む。そして、図１１から図１３に示すように、回動軸５５が軸受け穴２３に嵌り込むと、弾性変形していた上壁部５３が弾性復帰する。
【００３５】
レバー２０がレバー収容部５０に組み付けられると、図１３及び図１６に示すように、前方からフロントカバー７０がコネクタハウジング４０に装着される。フロントカバー７０の閉鎖部８０が切欠き部６３の開口部６３Ａから挿入される。この際に、閉鎖部８０が切欠き部６３にスライド挿入されるため、閉鎖部８０を装着しやすくなる。また、スライド挿入により、切欠き部６３のガイド溝６５に閉鎖部８０のレール部８５が互いに嵌合される。そのため、閉鎖部８０が切欠き部６３に挿入された後、閉鎖部８０が上壁部５３から浮いたり、上壁部５３が上方に開くように弾性変形したりすることを抑制できる。
【００３６】
そして、閉鎖部８０が切欠き部６３内後方に押し込まれると、切欠き部６３の係止突部６７が、閉鎖部８０の係止穴８７に嵌り込んで、閉鎖部８０が切欠き部６３を埋めて上壁部５３と一体になる。また、フロントカバー部７１もコネクタハウジング４０の嵌合面を覆い、フロントカバー７０が装着される。このように、フロントカバー７０と一体で閉鎖部８０がコネクタハウジング４０に装着されることから、閉鎖部８０をコネクタハウジング４０と別部材にしても、部品点数が増えたり、作業工数が増えたりしない。また、係止突部６７は、切欠き部６３がリブ部６１に食い込んだ部分に設けられており、係止穴８７は閉鎖部リブ部８１に設けられている。つまり、肉厚なリブ部６１及び閉鎖部リブ部８１にかかるように係止突部６７及び係止穴８７が設けられていることから、係止突部６７及び係止穴８７に力がかかっても、割れやひび等が発生することを抑制できる。
【００３７】
以上のように、本実施形態では、回動軸５５と対向する上壁部５３には、前端に開口部６３Ａを有し前後方向に延びる切欠き部６３が設けられている。そして、レバー２０をレバー収容部５０に組み付ける際に、レバー２０が回動軸５５に乗り上げると、上壁部５３が切欠き部６３を中心として開くように弾性変形することになる。そのため、レバー２０とレバー収容部５０とが強く擦れあわず、レバー２０の組み付けが容易になる。また、レバー２０とレバー収容部５０とが強く擦れあうことで樹脂が削れることを抑制できる。
【００３８】
そして、レバー２０を組み付けた後に、閉鎖部８０が切欠き部６３を埋めるように上壁部５３と一体化される。閉鎖部８０が切欠き部６３を埋めるように装着されると、レール部８５とガイド溝６５とが凹凸嵌合し、係止穴８７に係止突部６７が嵌まり込む。そのため、閉鎖部８０は上壁部５３と一体となって、レバー２０を下壁部５１との間に挟み込む。その結果、レバー２０の回動動作時などには、上壁部５３が弾性変形することがなく、レバー２０にかかる力を押さえ込むことができる。
【００３９】
＜他の実施形態＞
本明細書で開示される技術は上記記述及び図面によって説明した実施形態に限定されるものではなく、例えば次のような実施形態も技術的範囲に含まれる。
（１）上記実施形態では、前方からのスライド挿入により閉鎖部８０を切欠き部６３に装着したが、上側からはめ込むなど他の方法で装着しても良い。
【００４０】
（２）上記実施形態では、切欠き部６３の内側面にガイド溝６５を設け、閉鎖部８０の外側面にレール部８５が設けられていたが、なくても良い。また、切欠き部６３の内側面にレール部を設け、閉鎖部８０の外側面にガイド溝を設けても良い。
【００４１】
（３）上記実施形態では、閉鎖部８０は、フロントカバー７０の一部として、フロントカバー７０と一体に設けられていたが、別部材としても良い。
【００４２】
（４）上記実施形態では、切欠き部６３は前後方向に貫通していなかったが、貫通していても良い。
【００４３】
（５）上記実施形態では、レバー収容部５０の後側の開口縁部５０Ａにリブ部６１が設けられていたが、なくても良い。
【００４４】
（６）上記実施形態では、切欠き部６３がリブ部６１に食い込む部分に係止突部６７を設けていたが、別の場所に設けても良い。
【符号の説明】
【００４５】
１０…レバー式コネクタ
２０…レバー
２１…カム板部
２３…軸受け穴
２５…組付溝
３１…操作部
４０…コネクタハウジング
４１…端子保持部
５０…レバー収容部
５０Ａ…開口縁部
５１…下壁部
５３…上壁部
５５…回動軸
６１…リブ部
６３…切欠き部
６３Ａ…開口部
６５…ガイド溝（凹凸嵌合部）
６７…係止突部（係止構造）
７０…フロントカバー
７１…フロントカバー部
８０…閉鎖部（閉鎖部材）
８１…閉鎖部リブ部
８３…上側逃がし溝
８５…レール部（凹凸嵌合部）
８７…係止穴（係止構造）
【図１】
2017135015.tif 000003
【図２】
2017135015.tif 000004
【図３】
2017135015.tif 000005
【図４】
2017135015.tif 000006
【図５】
2017135015.tif 000007
【図６】
2017135015.tif 000008
【図７】
2017135015.tif 000009
【図８】
2017135015.tif 000010
【図９】
2017135015.tif 000011
【図１０】
2017135015.tif 000012
【図１１】
2017135015.tif 000013
【図１２】
2017135015.tif 000014
【図１３】
2017135015.tif 000015
【図１４】
2017135015.tif 000016
【図１５】
2017135015.tif 000017
【図１６】
2017135015.tif 000018